(57)【要約】【課題】一冊のファイル内に収納された書類のページとページを照合する場合、従来のファイルでは頁体が一箇所に積層されて綴じられているため、書類を平面上に並べて照合する事が不可能で、前ページから後ページへ、またその逆へと行きつ戻りつしなければならずページをめくる回数が多かった。またページをめくってしまうと今まで開いていたページが全く見えなくなってしまうという欠点があり照合作業が不便であった。そのため書類を並べて照合するためには、ファイルに収納されている書類をわざわざ抜き出したり、あるいは二冊のファイルを並べて使用する必要があったのでファイルから書類を抜き出したり二冊のファイルを使用したりする事なく、一冊のファイル内において書類と書類を平面上で照合する事ができるファイルの提供。【解決手段】一冊のファイル内に、裏表紙を中央に位置して左右に一対の表表紙とファイルの綴り部を形成する事による方法。【選択図】　　図２
2004017651.tif 000002
【特許請求の範囲】
【請求項１】
第一表紙、第二表紙、第三表紙が連接された表紙本体と、各表紙間に設けられた折り込み部と、前記各折り込み部に複数のクリアファイル、アルバム台紙、ノート紙片等の頁体を固定するファイル綴り部とにより構成されたふたご型ファイル。
【請求項２】
頁体が着脱可能に固定されていることを特徴とする請求項１記載のふたご型ファイル。
【発明の詳細な説明】
【０００１】
【発明の属する技術分野】
本発明は一冊のファイル内に裏表紙を中央に位置して左右に一対の表表紙とファイルの綴り部を形成しているところのふたご型ファイルに関するものである。
【０００２】
【従来の技術】
従来のファイルは表表紙と裏表紙の内側中央に、積層された頁体の綴りを綴じ込んだファイルであって、一冊のファイルは一枚の表表紙と、一枚の裏表紙と、一冊の積層された頁体の綴りから形成されているものであった。
【０００３】
【発明の解決しようとする課題】
一冊のファイル内に収納された書類のページとページを照合する場合、従来のファイルでは頁体が一箇所に積層されて綴じられているため、書類を平面上に並べて照合する事が不可能で、前ページから後ページへ、またその逆へと行きつ戻りつしなければならずページをめくる回数が多かった。またページをめくってしまうと今まで開いていたページが全く見えなくなってしまうという欠点があり照合作業が不便であった。そのため書類を並べて照合するためには、ファイルに収納されている書類をわざわざ抜き出したり、あるいは二冊のファイルを並べて使用する必要があった。そこで本発明はファイルから書類を抜き出したり二冊のファイルを使用したりする事なく、一冊のファイル内において書類と書類を平面上で照合する事ができるためのものである。
【０００４】
【課題を解決するための手段】
第一表紙１、第二表紙２、第三表紙３が連接された表紙本体と、各表紙間に設けられた折り込み部５と、前記折り込み部５に複数のクリアファイル、アルバム台紙、ノート紙片等の頁体６ａ；６ｂを固定するファイル綴り部８ａ；８ｂを構成する手段、すなわち一冊のファイル内に二枚の表表紙と一枚の裏表紙と二冊の積層された頁体の綴りを有するものであり、裏表紙に相当するところの第二表紙２を中央に位置して左右に一対の表表紙とファイルの綴り部を形成する事により、一冊のファイル内においてページとページを平面上で照合する事ができる手段である。
【０００５】
【発明の実施の形態】
実施例については図面を参照して説明する。
図１は請求項１に記載のふたご型ファイルの実施例であるが、第一表紙１と第二表紙２と第三表紙３の三枚の表紙を連接する方法と、ファイル綴り部８ａ；８ｂの構成の方法を示したものである。
三枚の表紙を連接するに当たっては、第二表紙２は裏表紙に相当し、第一表紙１と第三表紙３は表表紙に相当するためファイルを閉じるときは図６に示すように第二表紙２の上に第一表紙１と第三表紙３を重ね合わせる方法をとるが、裏表紙の幅に対して左右の表表紙の幅が同サイズであっては左右の表表紙の側縁が互いの折り込み部にぶつかり合ってしまうため、裏表紙の幅に対して表表紙の幅を小さく構成する手段を取る。
また、ファイル綴り部８ａ；８ｂを構成するに当たっては、例として頁体がクリアファイルで形成される場合を示しているが、合成樹脂からなる袋状の透明シート４を複数枚を開口部７を同一方向にして固定部９ａ；９ｂに溶着、のり、ステップラーなどで固定する事によって形成した上で各表紙間の折り込み部５に取り付ける手段を取る事により、ふたご型ファイルを構成する事ができる。
【０００６】
図２は第二表紙２を中央に位置して左右に開いた場合の正面図である。ファイルの綴り部８ａ；８ｂを左右に一対型に設けてあるので、左右どちらかのページを一枚めくった状態で３ページ分を同時に見る事が可能でありページとページを平面上で照合する事ができる。例えば会議等で使用する場合左のファイルに議題や本論の書類を収納し、右のファイルに資料を収納する方法を取る事により右の資料ページを参照しながら同時に左の議題や本論を読み進む事が可能となる。
【０００７】
図３は請求項２に記載の、頁体が着脱可能に固定されている事を特徴とするふたご型ファイルの正面図である。各表紙間の折り込み部５をバインダー式１０にする手段により、図１で示したところの合成樹脂からなる袋状の透明シート４を複数枚を開口部７を同一方向にして、各シート４にバインダー用の穴を形成する事により、着脱可能なクリアファイルを構成する手段である。
【０００８】
図４はふたご型クリアファイルを楽譜用ファイルとして使用した場合の使用例である。図４は１０ページ分の長さの曲を演奏する場合の例であるが次の様な使用方法がある。
まず、左ファイル１ページＡ−６ａｂからスタートして２ページＢ−６ａａ、３ページＢ−６ａｂ、４ページＣ−６ａａ、５ページＣ−６ａｂまで進み、次に右ファイル１ページＣ−６ｂｂに進み、２ページＤ−６ｂａ、３ページＤ−６ｂｂ、４ページＥ−６ｂａ、５ページＥ−６ｂｂまで進んで、「繰り返し」演奏のために元のいずれかのページに戻る場合を説明する。曲の冒頭に戻る場合は左ファイルのクリアポケットＥ−６ａａを二枚同時に右にめくり、右ファイル４ページＥ−６ｂａの上に置く事により、曲の冒頭である左ファイル１ページ目が出現する。このような場合の時左ファイルのクリアポケットＥ−６ａａは第一表紙の上に二枚のみある状態であるため二枚同時にめくる事が容易であるといえる。左ファイル２ページと３ページに戻る場合は左ファイルのクリアポケットＥ−６ａａを一枚だけめくり、右ファイルの４ページＥ−６ｂａの上に置く。左ファイル４ページに戻る場合は左ファイルの４ページはすでに出現している状態であるからページをめくる必要が無い。次に左ファイル５ページと右ファイル１ページに戻る場合は、右ファイルのクリアポケットＥ−６ｂａを二枚同時にめくる。この場合の時も右ファイルのクリアポケットは左ファイルＥ−６ａｂの上に二枚のみある状態のため二枚同時にめくる事が容易である。また右ファイル２ページと３ページに戻る場合は右ファイルのクリアポケットＥ−６ｂａを一枚だけめくることにより２ページと３ページが出現する。つまり、いずれのページに戻るに当たってもクリアファイルを一回めくるだけで希望のページに戻る事が可能である。一曲の演奏が終わったら右ファイルの弾き終わったページはまとめて左ファイルの綴りＦ−６ａｂの下にしまいこむ方法を取る。
次に引き続き二曲目を演奏する場合を説明する。
【０００９】
図５は二曲目を演奏する場合を示した図である。右ファイルの弾き終わったページはまとめて左ファイル６ａｂの下にしまいこみ、左ファイルの弾き終わったページはまとめてクリップで留めておく事により、繰り返し演奏のために元のいずれかのページに戻る場合、前記図４で示した使用方法が可能になる。二曲目の演奏が終わったら、前記同様に、右ファイルの弾き終わったページをまとめて左ファイル６ａｂの下にしまこむ。以下、曲目が増えても同様の方法で演奏を続ける事ができる。
【００１０】
図６はふたご型ファイルを閉じた状態を示した斜視図である。第二表紙２の上に右のファイルの綴り部８ｂ、その上に第三表紙３、その上に左のファイル綴り部８ａ、と第一表紙１を重ねた状態を示しているが、重ねる順番は左右どちらが先でも後でもよく、第二表紙２の上に左右のファイル綴り部８ａ；８ｂを重ねておき、その上に左右の表表紙を重ねるという方法もできる。
以上の各実施例はクリアファイルを頁体として説明したが、これに限定されるものでなく、アルバム台紙、書き込み可能なノート紙片、特定の文字や絵が記載された紙片など、めくって使用できるものであれば何でもよい。
【００１１】
【発明の効果】
本発明の効果は次のような事が考えられる。
一冊のファイル内で書類と書類を照合する場合、平面上で同時に３ページ分を並べて見る事ができるため、従来のファイルのように前ページから後ページへ、またその逆へと行きつ戻りつ何回もページをめくる必要が無く便利である。例えば会議等で使用する場合、左のファイルの綴りに議題や本論の書類を収納し、右のファイルの綴りに資料を収納する方法をとる事により、右の資料ページを参照しながら同時に左の議題や本論を読み進む事ができ会議を進める上で便利である。
【００１２】
また楽譜用ファイルとして使用すると便利であり、特に効果が大きい。譜面台の上に楽譜を収納したファイルを置いて使用する場合、見開き３ページ分を同時に見ることができるので楽器の演奏中ページをめくる回数を減らす効果がある。さらに左右のページを関連づけてファイルする事により曲の「繰り返し」ページに戻る事が容易にできる事が本発明の特徴であり特に効果があるといえる。また二枚の表表紙と一枚の裏表紙の合計三枚の表紙を有するので譜面台上で見開き３ページ分を開いた状態においても安定感がありファイルが歪んだりずれたりする事を防ぐ効果がある。
一冊内に二つのファイルの綴りを有するので収納力の上で効果があり、一度に二冊分のファイルを携帯するのに便利である。
【００１３】
【図面の簡単な説明】
【図１】請求項１に記載のふたご型ファイルの実施例
【図２】請求項１に記載のふたご型ファイルの正面図
【図３】請求項２に記載のふたご型ファイルの正面図
【図４】ふたご型ファイルを楽譜用に使用した場合の使用例を示した図
【図５】ふたご型ファイルを楽譜用に使用した場合の二曲目以降の使用例を示した図
【図６】ふたご型ファイルの斜視図
【００１４】
【符号の説明】
１　第一表紙
２　第二表紙
３　第三表紙
４　袋状の透明シート
５　折り込み部
６；６ａ；６ｂ；６ａａ；６ａｂ；６ｂａ；６ｂｂ　頁体
７　開口部
８；８ａ；８ｂ　ファイル綴り部
９；９ａ；９ｂ　固定部
１０　バインダー
【図１】
2004017651.tif 000003
【図２】
2004017651.tif 000004
【図３】
2004017651.tif 000005
【図４】
2004017651.tif 000006
【図５】
2004017651.tif 000007
【図６】
2004017651.tif 000008